(57)【特許請求の範囲】
【請求項１】
一対のリング状をしたテストレンズ枠１の上縁から内側に向って水平に延設された水平腕材６を、前記一対のテストレンズ枠１．１間に位置した鞘状のホルダー部材２の水平案内溝７内に左右から挿入し、このホルダー部材２を中心にして一対のテストレンズ枠１，１が左右にスライド可能になっている検眼メガネにおいて、それぞれのテストレンズ枠１から水平腕材６と平行に歯ざお８をそれぞれの歯９がホルダー部材２内において上下に向い合う様に延設し、これら歯ざお８，８に噛合する様にピニオン１０をホルダー部材２内に枢支し、ホルダー部材２を貫通する枢支軸１１の前面側の端部にこのピニオン１０を回動させる為のツマミ１５を設けると共に、ホルダー部材２を貫通する枢支軸１１の後面側の端部に、裏面に放射状の凹凸溝１６を有し、該凹凸溝１６がホルダー部材２の表面に設けた小突起と摺接する抜け止め用円板１４を嵌め込み、更に、ツマミ１５の周りのホルダー部材２表面に目盛り１９を設け、この目盛り１９に対するツマミ１５の回転角度によりテストレンズ枠１のスライド量を数値的に表示する様にしたことを特徴とする検眼メガネ。
【発明の詳細な説明】
【０００１】
【発明の属する利用分野】
この発明は検眼メガネ、詳しくは一対のテストレンズ枠を保持するホルダー部材に設けられているツマミを回すことにより、このテストレンズ枠の間隔を簡単に伸縮させることができ、しかも、伸縮量を数値的に表示する便利な検眼メガネに関するものである。
【０００２】
【従来の技術】
検眼メガネはメガネを調製する際なくてはならないものであり、テストレンズ枠にいくつかの検眼用テストレンズを取付け、実際に装着してみて視力矯正の具合を確認する為に使用される。検眼メガネに取付けるテストレンズはほとんどの場合、光学的中心が中央にくる様に作られているので、このテストレンズを用いて検眼作業を行うには、被検者の瞳孔間距離に合わせて一対のテストレンズの距離を調整できる様になっていることが必要である。
【０００３】
【発明が解決しようとする課題】
しかしながら、従来の検眼メガネにおいては、ワンタッチでテストレンズ枠間の距離を変更できる機構は見当らず、繁雑な手順でその瞳孔間距離の設定を行っていたのが現状である。
この発明は上記従来の問題点を解決することを目的とするものであり、検眼メガネの表面に設けられているツマミを回すだけでステップ的にテストレンズ枠間の距離を変更でき、しかも、瞳孔間距離を数値的に表示できる便利な検眼メガネを提供せんとするものである。
【０００４】
【課題を解決するための手段】
この発明は一対のリング状をしたテストレンズ枠１の上縁から内側に向って水平に延設された水平腕材６を、前記一対のテストレンズ枠１．１間に位置した鞘状のホルダー部材２の水平案内溝７内に左右から挿入し、このホルダー部材２を中心にして一対のテストレンズ枠１，１が左右にスライド可能になっている検眼メガネにおいて、それぞれのテストレンズ枠１から水平腕材６と平行に歯ざお８をそれぞれの歯９がホルダー部材２内において上下に向い合う様に延設し、これら歯ざお８，８に噛合する様にピニオン１０をホルダー部材２内に枢支し、ホルダー部材２を貫通する枢支軸１１の前面側の端部にこのピニオン１０を回動させる為のツマミ１５を設けると共に、ホルダー部材２を貫通する枢支軸１１の後面側の端部に、裏面に放射状の凹凸溝１６を有し、該凹凸溝１６がホルダー部材２の表面に設けた小突起と摺接する抜け止め用円板１４を嵌め込み、更に、ツマミ１５の周りのホルダー部材２表面に目盛り１９を設け、この目盛り１９に対するツマミ１５の回転角度によりテストレンズ枠１のスライド量を数値的に表示する様にして上記課題を解決した。
【０００５】
【発明の実施の形態】
図１はこの発明に係る検眼メガネの一実施形態の外観の正面図、図２はその背面図、図３はその要部の一部を透視して描いた拡大正面図である。
【０００６】
図中１はテストレンズ枠であり、リンク状をなし、その表面側及び裏面側に円板状をしたテストレンズ（図示省略）を着脱自在に保持できる様になっている。  又、２はこのテストレンズ枠を保持するホルダー部材であり、鞘状になった水平部分３とその下部に一体的に設けられた略逆三角形のノーズパッド固定部５からなり、正面から見て左右対称形状をなしている。図中、２０はノーズパット、２１はノーズパッド２０を上下にスライドさせるスライド片である。
【０００７】
一方、前記テストレンズ枠１の上縁には、内側すなわちホルダー部材２側を向って水平腕材６が水平に延設されており、ホルダー部材２の水平部分３内に形成されている水平案内溝７に挿入され、一対のテストレンズ枠１，１をホルダー部材２を中心に左右にスライド可能に保持している。更に、テストレンズ枠１からは、前記水平腕材６と平行に歯ざお８が延設されている。この歯ざお８はホルダー部材２の鞘状をなした水平部分３内に挿入され、一対の歯ざお８，８の歯９，９は水平部分３内において上下に対向する様になっている。なお、この実施の形態において歯ざお８はポリアミド樹脂をその素材として用いている。
【０００８】
そして、水平部分３内にはこの歯ざお８，８の歯９，９と噛合するポリアミド樹脂製のピニオン１０が枢支されており、このピニオン１０に一体的に設けられている枢支軸１１の両端部はホルダー部材２の表面側１２及び裏面側１３に突出している。
【０００９】
そして、裏面側１３に突出している枢支軸１１の端部には抜け止め用円板１４が嵌め込まれており、表面側１２の端部にはピニオン１０回動用のつまみ１５が一体的に形成されている。
この実施の形態においては、前記抜け止め用円板１４は軟質ポリアミド樹脂をその素材として用いており、その裏面には図４に示す様に放射状の凹凸溝１６を形成し、ホルダー部材２の裏面側に設けられた小突起と摺接することにより、ピニオン１０の回動の際、節度感を付与する様になっている。
【００１０】
又、ツマミ１５の表面に矢印１８を描くと共に、つまみ１５の周りのホルダー部材２表面には目盛り１９を描き、この矢印１８と目盛り１９の組合せによりテストレンズ枠１のスライド量を表示できる様になっている。
この実施の形態は上述の通りの構成を有するものであり、つまみ１５を回転させると、歯ざお８に係合しているピニオン１０が回動し、これに伴い、テストレンズ枠１がホルダー部材２を中心に左右に所定量だけでスライドする。従って、被検者の瞳孔間距離に合わせてテストレンズ枠１，１間の距離を自由に調整することができ、しかも瞳孔間距離はツマミ１５の矢印１８が示す目盛り１９を見ることにより知ることができる。
【００１１】
【発明の効果】
この発明に係る検眼メガネは上述の通りの構成を有するものであり、被検者の瞳孔間距離に合せて簡単、正確にテストレンズ枠を移動させることができ、検眼作業の能率化、正確化に寄与し得るすぐれた効果を有する。又、構造も簡単で狂いが生ずるおそれも少なく、製造コストも少なくてすみ、極めて実用的なものである。
【図面の簡単な説明】
【図１】  この発明に係る検眼メガネの一実施形態の外観の正面図。
【図２】  その背面図。
【図３】  その要部の一部を透視して描いた拡大正面図。
【図４】  抜け止め用円板１４の裏面図。
【符号の説明】
１        テストレンズ枠
２        ホルダー部材
３       水平部分
４        突出
５        ノーズパッド固定部
６        水平腕材
７        水平案内溝
８        歯ざお
９        歯
１０        ピニオン
１１        枢支軸
１２        表面側
１３        裏面側
１４        抜け止め用円板
１５        ツマミ
１６        凹凸溝
１８        矢印
１９        目盛り
２０        ノーズパッド
２１        ノーズパッドスライド片
【図１】
0004121660.tif 000002
【図２】
0004121660.tif 000003
【図３】
0004121660.tif 000004
【図４】
0004121660.tif 000005